(57)【特許請求の範囲】
【請求項１】
前面に出入口を有する外装ケースと、
前記出入口を通じて前記外装ケースから出し入れ可能な、洗濯物の洗濯および脱水が行われる洗濯槽と、
前記洗濯槽の下方に配置され、サスペンションを介して前記洗濯槽を保持する保持部と、
前記洗濯槽の前方にて前記保持部に固定され、前記洗濯槽が前記外槽ケースに収容された状態において前記出入口を塞ぐ扉部と、
前記保持部と前記外装ケースとの間に設けられ、前記保持部を前記洗濯槽および扉部とともに前後方向に直線的に移動させるスライド機構部と、
前記サスペンションと前記保持部とを連結させる連結部と、を備え、
前記連結部は、前記洗濯槽の前後方向の振動が前記サスペンションを介して前記保持部へ伝達されるのを抑制する防振部を有し、
前記防振部は、前記保持部側に設けられる移動路と、前記サスペンション側に設けられ、前記移動路上を前後方向に移動する移動体とを含み、
前記移動体が前記移動路上を移動するときの摩擦抵抗が、前記スライド機構部が前記保持部を移動させるときの摩擦抵抗よりも小さい、
ことを特徴とする洗濯機。
【請求項２】
請求項１に記載の洗濯機において、
前記移動体は、左右方向に動かないように前記移動路によって案内される、
ことを特徴とする洗濯機。
【請求項３】
前面に出入口を有する外装ケースと、
前記出入口を通じて前記外装ケースから出し入れ可能な、洗濯物の洗濯および脱水が行われる洗濯槽と、
前記洗濯槽の下方に配置され、サスペンションを介して前記洗濯槽を保持する保持部と、
前記洗濯槽の前方にて前記保持部に固定され、前記洗濯槽が前記外槽ケースに収容された状態において前記出入口を塞ぐ扉部と、
前記保持部と前記外装ケースとの間に設けられ、前記保持部を前記洗濯槽および扉部とともに前後方向に直線的に移動させるスライド機構部と、
前記サスペンションと前記保持部とを連結させる連結部と、を備え、
前記連結部は、前記洗濯槽の前後方向の振動が前記サスペンションを介して前記保持部へ伝達されるのを抑制する防振部を有し、
前記扉部は、緩衝部材を介して前記保持部に固定される、
ことを特徴とする洗濯機。
【発明の詳細な説明】
【技術分野】
【０００１】
本発明は、洗濯機に関する。
【背景技術】
【０００２】
従来、前面が開放されたケース内に、上側が開放されたキャビネットを前方から引き出し可能に収容し、キャビネットに、洗濯水が貯蔵でき洗濯や脱水が行える洗濯槽を内蔵するようにした引き出し式の洗濯機が提案されている（特許文献１参照）。洗濯槽は、緩衝機能を有するサスペンションを介してキャビネットの底面に支持される。さらに、キャビネットは、キャビネットとケースとの間に設けられたスライド手段によって、前後方向に直線移動できる。
【先行技術文献】
【特許文献】
【０００３】
【特許文献１】特開２００２−１１９７８６号公報
【発明の概要】
【発明が解決しようとする課題】
【０００４】
かかる引き出し式の洗濯機では、スライド手段の内部での抵抗、即ち、特許文献１の構成では、ローラとレールの間の抵抗をできるだけ小さくすることで、ケースからのキャビネットの引き出しを楽に行うことが可能となる。しかしながら、ケースに対してキャビネットが前後方向に動きやすくなると、脱水時等に発生した洗濯槽の振動がサスペンションで減衰しきれずにキャビネットに伝達されたとき、キャビネットが前後方向に激しく振動しやすくなる。
【０００５】
通常、閉じられたキャビネットの前面部、即ち扉部とケースの前面との間にはラッチが掛けられ、扉部が開かないようにロックされる。しかしながら、ラッチにはある程度の遊びが設けられるので、キャビネットが前後方向に激しく振動すると、扉部とケースの前面との間で細かな衝突が繰り返され、それにより騒音が発生したり扉部等に破損が生じたりする虞がある。
【０００６】
本発明は、かかる課題に鑑みてなされたものであり、外装ケース内から洗濯槽を引き出す構成の洗濯機において、洗濯槽の振動に起因して扉部と外装ケースとの間で細かな衝突が繰り返されることによる騒音や扉部等の破損の発生を抑制することを目的とする。
【課題を解決するための手段】
【０００７】
本発明の主たる態様に係る洗濯機は、前面に出入口を有する外装ケースと、前記出入口を通じて前記外装ケースから出し入れ可能な、洗濯物の洗濯および脱水が行われる洗濯槽と、前記洗濯槽の下方に配置され、サスペンションを介して前記洗濯槽を保持する保持部と、前記洗濯槽の前方にて前記保持部に固定され、前記洗濯槽が前記外槽ケースに収容された状態において前記出入口を塞ぐ扉部と、前記保持部と前記外装ケースとの間に設けられ、前記保持部を前記洗濯槽および扉部とともに前後方向に直線的に移動させるスライド機構部と、前記サスペンションと前記保持部とを連結させる連結部と、を備える。ここで、前記連結部は、前記洗濯槽の前後方向の振動が前記サスペンションを介して前記保持部へ伝達されるのを抑制する防振部を有する。
【０００８】
上記の構成によれば、保持部の前後方向の振動を抑制できるので、洗濯槽の振動に起因して扉部と外装ケースとの間で細かな衝突が繰り返される、ということを抑制でき、騒音や扉部等の破損の発生を抑制できる。
【０００９】
本態様に係る洗濯機において、前記防振部は、前記保持部側に設けられる移動路と、前記サスペンション側に設けられ、前記移動路上を前後方向に移動する移動体とを含む構成とされ得る。この場合、前記移動体が前記移動路上を移動するときの摩擦抵抗が、前記スライド機構部が前記保持部を移動させるときの摩擦抵抗よりも小さくされる。
【００１０】
上記の構成によれば、移動体が保持部よりも前後方向に移動しやすいため、保持部の前後方向の振動を防振部によって効果的に抑制できる。
【００１１】
上記の構成とされた場合、さらに、前記移動体は、左右方向に動かないように前記移動路によって案内される構成とされ得る。
【００１２】
このような構成とされれば、洗濯槽は前後方向に比べて左右方向に大きく振れることがなく、外装ケースの左右方向のサイズが必要以上に大きくならない。
【００１３】
本態様に係る洗濯機において、前記扉部は、緩衝部材を介して前記保持部に固定されるような構成とされ得る。
【００１４】
上記の構成によれば、保持部の振動を緩衝部材で吸収できるので、扉部に振動が伝わりにくくなり、扉部と外装ケースとの間の細かな衝突が一層生じにくくなる。
【発明の効果】
【００１５】
本発明によれば、外装ケース内から洗濯槽を引き出す構成の洗濯機において、洗濯槽の振動に起因して扉部と外装ケースとの間で細かな衝突が繰り返されることによる騒音や扉部等の破損の発生を抑制することができる。
【００１６】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００１７】
【図１】図１（ａ）は、実施の形態に係る、全自動洗濯機の前方斜視図であり、図１（ｂ）は、実施の形態に係る、２つの全自動洗濯機が上下に積まれた状態を示す前方斜視図である。
【図２】図２は、実施の形態に係る、外装ケースの前方へ洗濯槽が引き出された状態を示す全自動洗濯機の後方斜視図である。
【図３】図３は、実施の形態に係る、図１（ａ）のＡ−Ａ´線で切断した全自動洗濯機の側面断面図である。
【図４】図４（ａ）ないし（ｃ）は、実施の形態に係る、サスペンションと連結部の構成を示す図である。
【図５】図５は、変更例１に係る、全自動洗濯機の構成を示す要部の断面図である。
【図６】図６（ａ）および（ｂ）は、その他の変更例に係る、保持プレートの構成を示す図であり、図６（ｃ）は、その他の変更例に係る、キャビネットの構成を示す図である。
【図７】図７は、その他の変更例に係る、防振装置の構成を示す図である。
【発明を実施するための形態】
【００１８】
以下、本発明の洗濯機の一実施形態である全自動洗濯機１について、図面を参照して説明する。
【００１９】
図１（ａ）は、全自動洗濯機１の前方斜視図であり、図１（ｂ）は、２つの全自動洗濯機１が上下に積まれた状態を示す前方斜視図である。図２は、外装ケース１０の前方へ洗濯槽２０が引き出された状態を示す全自動洗濯機１の後方斜視図である。図３は、図１（ａ）のＡ−Ａ´線で切断した全自動洗濯機１の側面断面図である。
【００２０】
図１ないし図３を参照して、全自動洗濯機１は、外装ケース１０と、洗濯槽２０と、駆動ユニット３０と、排水ユニット４０と、給水ユニット５０と、前後左右４つのサスペンション６０と、前後左右４つの連結部７０と、左右２つの保持プレート８０と、扉部９０と、左右１組のスライドレール１００を備える。保持プレート８０は、本発明の保持部に相当し、スライドレール１００は、本発明のスライド機構部に相当する。
【００２１】
全自動洗濯機１は、いわゆる引き出し式の洗濯機であり、ユーザは、外装ケース１０から洗濯槽２０を前方へ引き出し、引き出した洗濯槽２０に上方から洗濯物を投入し、再び洗濯槽２０を外装ケース１０内に収容して、洗濯物の洗濯を行う。図１（ｂ）のように、２つの全自動洗濯機１を、上下に積み上げるようにして洗面所等のフロア内に設置できるので、設置スペースを有効に利用して、洗濯物の分け洗いを行うことも可能である。
【００２２】
外装ケース１０は、ほぼ直方体の箱状を有し、その前面のほぼ全体が出入口１１として開口する。外装ケース１０の左右の内側面には、出入口１１の近傍上部に係合部１２が設けられる。また、外装ケース１０の後面には、上部に給水接続口１３が形成され、下部に排水接続口１４が形成される。排水接続口１４には、排水ジョイント１５が設けられる。さらに、外装ケース１０の底面には、四隅に脚部１６が設けられる。
【００２３】
洗濯槽２０は、外槽２１および洗濯脱水槽２２を含む。外槽２１の上面には、洗濯物の投入口２３が形成されるとともに、投入口２３の後方に注水口２４が形成される。投入口２３は、開閉自在な内蓋２５によって覆われる。外槽２１の外周面には、前側の右端と左端の位置および後側の右端と左端の位置に、それぞれ、サスペンション取付部２６が設けられる。サスペンション取付部２６は、外槽２１と一体に形成されてもよいし、外槽２１と別体に形成されて外槽２１に固定されてもよい。なお、外装ケース１０内では、洗濯槽２０と外装ケース１０との間の隙間が、左右方向に比べて前後方向に大きく取られる。
【００２４】
外槽２１内に洗濯脱水槽２２が配される。洗濯脱水槽２２は、外槽２１内において鉛直方向に延びる回転軸を中心に回転する。洗濯脱水槽２２の内周面には、全周に亘って多数の脱水孔２２ａが形成される。また、洗濯脱水槽２２の上部には、バランスリング２７が設けられる。さらに、洗濯脱水槽２２の底部には、パルセータ２８が配される。パルセータ２８の表面には、放射状に複数の羽根２８ａが設けられる。
【００２５】
外槽２１の外底部に駆動ユニット３０および排水ユニット４０が配される。駆動ユニット３０は、洗濯脱水槽２２およびパルセータ２８を駆動するトルクを発生させる。駆動ユニット３０は、駆動モータ３１と、伝達機構部３２とを含む。伝達機構部３２は、クラッチ機構を有し、当該クラッチ機構による切替操作により、洗い工程およびすすぎ工程では、駆動モータ３１のトルクをパルセータ２８のみに伝達してパルセータ２８のみを回転させ、脱水工程では、駆動モータ３１のトルクをパルセータ２８および洗濯脱水槽２２に伝達してパルセータ２８および洗濯脱水槽２２を一体的に回転させる。
【００２６】
排水ユニット４０は、排水バルブ４１と、排水管４２と、内部排水ホース４３を含む。排水バルブ４１の一端に排水管４２が接続され、排水バルブ４１の他端に内部排水ホース４３が接続される。排水管４２は、外槽２１の底部に形成された排水口（図示せず）に繋がる。内部排水ホース４３は、排水接続口１４の排水ジョイント１５に内側から接続される。排水ジョイント１５には、外側から外部排水ホース（図示せず）が接続される。排水バルブ４１が開放されると、洗濯脱水槽２２および外槽２１に溜められた水が、排水管４２、内部排水ホース４３および外部排水ホースを通じて機外へ排出される。
【００２７】
内部排水ホース４３は、洗濯槽２０が外装ケース１０に収容された状態において、左右に蛇行するようにして外装ケース１０の後部に収まる。洗濯槽２０が外装ケース１０から引き出されると、内部排水ホース４３は、洗濯槽２０に引かれて蛇行した状態から真っ直ぐな状態へと変形する。
【００２８】
外装ケース１０内の上部後方に給水ユニット５０が配される。給水ユニット５０は、給水バルブ５１と、給水管５２と、接続管５３を含む。給水バルブ５１の一端に給水管５２が接続され、給水バルブ５１の他端に接続管５３が接続される。洗濯槽２０が外装ケース１０に収容された状態において、給水管５２の流出口５２ａが外槽２１の注水口２４に臨む。接続管５３は、給水接続口１３内において外部に臨み、水道栓から延びる給水ホース（図示せず）に接続される。給水バルブ５１が開放されると、給水管５２および注水口２４を通じて、水道水が外槽２１内に供給される。
【００２９】
洗濯槽２０は、前後左右４つのサスペンション６０を介して、洗濯槽２０の下方の左右両側に配された保持プレート８０に保持される。サスペンション６０は、上端部が洗濯槽２０のサスペンション取付部２６に固定され、下端部が連結部７０を介して保持プレート８０に固定される。サスペンション６０は、洗濯槽２０を緩衝可能に支持する。保持プレート８０は、前後方向に長尺であり、右側の保持プレート８０は、右側の前後２つのサスペンション６０を受け、左側の保持プレート８０は、左側の前後２つのサスペンション６０を受ける。連結部７０は、防振装置５００を有することにより、洗濯槽２０の前後方向の振動がサスペンション６０を介して保持プレート８０へ伝達されるのを抑制する機能を有する。
【００３０】
サスペンション６０と連結部７０の詳細な構成については、追って説明する。
【００３１】
扉部９０は、Ｌ字状の取付金具８１によって左右の保持プレート８０の前端部に固定される。扉部９０の上部には、外装ケース１０に対して扉部９０を閉じた状態に保持するためのロック装置９１が設けられる。
【００３２】
ロック装置９１は、レバー９２と、リンク機構９３と、左右２つのラッチ９４を含む。図３のように扉部９０が閉じられると、ラッチ９４が外装ケース１０の係合部１２に係合する。扉部９０が前方に移動しようとすると、ラッチ９４が係合部１２に引っ掛かり、これによって、扉部９０が閉じた状態に保持される。ユーザによってレバー９２が解除方向に操作されると、リンク機構９３の動作によりラッチ９４が上方に動き、ラッチ９４と係合部１２との係合が解除される。これにより、扉部９０とともに洗濯槽２０が外装ケース１０から引き出せる状態となる。なお、ラッチ９４が係合部１２に係合した状態において、ラッチ９４と係合部１２との間には、幾分かの遊びとなる隙間が設けられる。
【００３３】
左右の保持プレート８０は、それぞれ、左右のスライドレール１００よって、洗濯槽２０および扉部９０とともに前後方向に直線的に移動させることができる。スライドレール１００は、前後方向に長尺な固定レール１０１と可動レール１０２とを含む。固定レール１０１は、外装ケース１０の内側面の下部に固定され、可動レール１０２は保持プレート８０における、外装ケース１０の内側面に対向する面に固定される。固定レール１０１の内部には、ローラ（図示せず）が設けられ、可動レール１０２は、ローラに送られるようにして固定レール１０１内を前後方向に移動する。これにより、可動レール１０２に固定された保持プレート８０が、洗濯槽２０および扉部９０とともに前後方向に円滑に移動する。
【００３４】
全自動洗濯機１では、各種運転コースの洗濯運転が行われる。洗濯運転では、洗い工程、中間脱水工程、すすぎ工程および最終脱水工程が順番に実行される。
【００３５】
洗い工程およびすすぎ工程では、洗濯脱水槽２２内に水が溜められた状態で、パルセータ２８が右方向および左方向に回転する。パルセータ２８の回転により洗濯脱水槽２２内に水流が発生する。洗い工程では、発生した水流と水に含まれる洗剤とにより洗濯物が洗われる。すすぎ工程では、発生した水流により洗濯物がすすがれる。
【００３６】
中間脱水工程および最終脱水工程では、洗濯脱水槽２２およびパルセータ２８が一体となって高速回転する。洗濯脱水槽２２に発生する遠心力の作用により、洗濯物が脱水される。
【００３７】
次に、サスペンション６０および連結部７０の詳細な構成について説明する。
【００３８】
図４（ａ）ないし（ｃ）は、サスペンション６０と連結部７０の構成を示す図である。図４（ａ）は、右前方のサスペンション６０および連結部７０を後方から見た斜視図であり、図４（ｂ）は、サスペンション６０と連結部７０とを前後方向の中央部で切断した正面断面図である。図４（ｃ）は、連結部７０に備えられた防振装置５００の側面断面図である。図４（ａ）、（ｂ）では、外槽２１の右前方のサスペンション取付部２６が描かれ、外槽２１のその他の部分は図示が省略されている。
【００３９】
サスペンション６０は、ダンパー部２００とバネ部３００とを含む。ダンパー部２００は、ダンパー２１０と、上部取付部２２０と、下部取付部２３０を備える。
【００４０】
ダンパー２１０は、シリンダ２１１と、ピストンロッド２１２と、上部ロッド２１３を含む。シリンダ２１１内にはオイルが封入される。ピストンロッド２１２は、上端部にピストン（図示せず）を有し、ピストンロッド２１２が上下動すると、ピストンがシリンダ２１１の内周面に摺接しながらシリンダ２１１内を上下動する。上部ロッド２１３は、シリンダ２１１の上端部に、シリンダ２１１と一体的に設けられる。なお、本実施の形態では、ダンパー２１０が、シリンダ２１１内にオイルが封入されたオイルダンパーであるが、ダンパー２１０は、シリンダ２１１内にエアーが封入されたエアダンパーであってもよい。
【００４１】
上部取付部２２０は、上部第１緩衝体２２１と、上部第２緩衝体２２２と、上部取付板２２３を含む。上部第１緩衝体２２１および上部第２緩衝体２２２は、ほぼ円筒状を有し、ゴム等の弾性材料で形成される。上部第１緩衝体２２１および上部第２緩衝体２２２は、上下から挟み込むようにして上部取付板２２３に固定される。上部ロッド２１３は、上部第１緩衝体２２１および上部第２緩衝体２２２を介して上部取付板２２３に固定される。
【００４２】
下部取付部２３０は、下部第１緩衝体２３１と、下部第２緩衝体２３２と、下部取付板２３３を含む。下部第１緩衝体２３１および下部第２緩衝体２３２は、ほぼ円筒状を有し、ゴム等の弾性材料で形成される。下部第１緩衝体２３１および下部第２緩衝体２３２は、上下から挟み込むようにして下部取付板２３３に固定される。ピストンロッド２１２の下端部は、下部第１緩衝体２３１および下部第２緩衝体２３２を介して下部取付板２３３に固定される。
【００４３】
バネ部３００は、コイルバネ３０１と、上部受け部３０２と、下部受け部３０３とを含む。上部受け部３０２は、シリンダ２１１の下端部に固定され、コイルバネ３０１の上端部を受ける。下部受け部３０３は、下部取付部２３０の上端部の位置においてピストンロッド２１２に固定され、コイルバネ３０１の下端部を受ける。
【００４４】
連結部７０は、取付台４００と、防振装置５００を備える。取付台４００は、上下に扁平なほぼ直方体形状に形成され、その中央部に円筒状の収容孔４０１を有する。
【００４５】
防振装置５００は、スライダ５１０と、レール５２０を含む。防振装置５００は、本発明の防振部に相当する。スライダ５１０は、本発明の移動体に相当し、レール５２０は、本発明の移動路に相当する。
【００４６】
スライダ５１０は、上下に扁平なほぼ直方体形状に形成され、その下面の中央部に前後方向に延びる断面長方形状の溝部５１１を有する。スライダ５１０の上面に、取付台４００がネジ４０２で固定される。スライダ５１０には、溝部５１１の近傍の４カ所に、前後方向に所定間隔で並ぶようにして、球体５１２が転動自在に内蔵される。球体５１２は、一部分が溝部５１１内に露出する。
【００４７】
レール５２０は、前後方向に細長いほぼ直方体形状を有する。レール５２０の前後の寸法は、スライダ５１０の前後の寸法よりも長くされる。レール５２０は、保持プレート８０の上面にネジ５２１で固定される。
【００４８】
スライダ５１０の溝部５１１がレール５２０に嵌め込まれると、４か所の球体５１２が、レール５２０の左右の側面および上面に当接する。これにより、スライダ５１０がレール５２０上を前後方向に移動したとき、レール５２０に接触した球体５１２が転がるため、スライダ５１０とレール５２０との間の摩擦抵抗が小さくなる。なお、スライダ５１０とレール５２０との間の摩擦抵抗は、可動レール１０２が固定レール１０１に対して前後方向に移動するときに可動レール１０２と固定レール１０１との間に生じる摩擦抵抗よりも小さくなるようにされている。また、スライダ５１０は、溝部５１１がレール５２０に嵌め込まれる構成であるため、レール５２０によって前後方向に案内され、左右方向には移動できない。
【００４９】
サスペンション６０の上端部は、上部取付板２２３がサスペンション取付部２６の下面にネジ２４０で止められることにより、サスペンション取付部２６に固定される。サスペンション取付部２６には、円筒状の収容孔２６ａが形成され、この収容孔２６ａに上部取付部２２０の上部が収容される。また、サスペンション６０の下端部は、下部取付板２３３が取付台４００の上面にネジ２５０で止められることにより、連結部７０に固定される。このとき、取付台４００の収容孔４０１に下部取付部２３０の下部が収容される。
【００５０】
サスペンション６０は、バネ部３００によって洗濯槽２０を弾性的に支持し、ダンパー部２００によってバネ部３００の振動を減衰させる。脱水工程では、洗濯脱水槽２２内での洗濯物の片寄り等に起因して洗濯槽２０が前後、左右および上下の方向に振動するが、このような洗濯槽２０の振動は、サスペンション６０によって吸収される。しかしながら、サスペンション６０では振動を完全に吸収することはできず、幾分かの振動は、サスペンション６０を介して連結部７０に伝達される。
【００５１】
上述の通り、連結部７０には防振装置５００が備えられており、連結部７０に伝達された前後方向の振動は、振動に合わせてスライダ５１０がレール５２０上を前後方向に移動することで吸収される。これにより、前後方向の振動が保持プレート８０に伝達されることが抑制される。ここで、スライダ５１０とレール５２０との間の摩擦抵抗は、スライドレール１００の可動レール１０２と固定レール１０１との間の摩擦抵抗よりも小さく、スライダ５１０は、可動レール１０２に比べて前後方向に移動しやすいため、防振装置５００で吸収された後に保持プレート８０に伝達されるような振動は、可動レール１０２を移動させることできないようなごく弱い力のものとなる。このため、保持プレート８０は、スライドレール１００に取り付けられているにも関わらず、洗濯槽２０が振動したときに前後方向に振動しにくくなる。このようにして、全自動洗濯機１では、洗濯槽２０の振動に起因して保持プレート８０に固定された扉部９０と外装ケース１０の出入口１１の周縁との間で細かな衝突が繰り返される、ということが防止される。
【００５２】
＜実施の形態の効果＞
以上、本実施の形態によれば、連結部７０に備えられた防振装置５００によって、サスペンション６０を通じた洗濯槽２０の前後方向の振動が保持プレート８０へ伝達されるのを抑制するようにしたので、スライドレール１００により動き易くされた保持プレート８０の前後方向の振動を抑制できる。これにより、洗濯槽２０の振動に起因して扉部９０と外装ケース１０との間で細かな衝突が繰り返される、ということを抑制でき、騒音や扉部９０等の破損の発生を抑制できる。
【００５３】
さらに、本実施の形態によれば、防振装置５００は、レール５２０と、レール５２０上を前後方向に移動するスライダ５１０とを含み、スライダ５１０とレール５２０との間の摩擦抵抗は、スライドレール１００の可動レール１０２と固定レール１０１との間の摩擦抵抗よりも小さくされている。このため、スライダ５１０は、可動レール１０２に比べて前後方向に移動しやすく、これにより、保持プレート８０の前後方向の振動を防振装置５００によって効果的に抑制できる。
【００５４】
さらに、本実施の形態によれば、防振装置５００は、スライダ５１０が、左右方向に動かないようにレール５２０で案内される構成とされているので、洗濯槽２０は前後方向に比べて左右方向に大きく振れることがなく、外装ケース１０の左右方向のサイズが必要以上に大きくならない。
【００５５】
以上、本発明の実施の形態について説明したが、本発明は、上記実施の形態によって何ら制限されるものではなく、また、本発明の実施の形態も、上記以外に種々の変更が可能である。
【００５６】
＜変更例１＞
図５は、変更例１に係る、全自動洗濯機１の構成を示す要部の断面図である。なお、図５では、サスペンション６０と連結部７０の図示が省略されている。
【００５７】
上記実施の形態では、扉部９０が取付金具８１によって左右の保持プレート８０の前端部に直接取り付けられた。これに対し、本変更例では、扉部９０がゴム等の弾性材料で形成された緩衝部材１１０を介して左右の保持プレート８０に固定される。より詳しくは、保持プレート８０に固定された取付金具８１の前面と扉部９０の後面と間に緩衝部材１１０が挟まれた状態で、取付金具８１と扉部９０とが段付きネジ１２０で固定される。
【００５８】
このような構成とすれば、保持プレート８０の振動を緩衝部材１１０で吸収できるので、扉部９０に振動が伝わりにくくなり、扉部９０と外装ケース１０の出入口１１の周縁との間の細かな衝突が一層生じにくくなる。
【００５９】
さらに、本変更例では、扉部９０の後面と外装ケース１０の前面における出入口１１の周縁部と間にゴム等の弾性部材で形成されたクッション部材１３０が設けられる。
【００６０】
このような構成とすれば、扉部９０と外装ケース１０の出入口１１の周縁との間に細かな衝突が僅かに生じても、扉部９０および外装ケース１０への衝撃がクッション部材１３０で和らげられ、騒音や破損が一層生じにくくなる。
【００６１】
＜その他の変更例＞
上記実施の形態では、洗濯槽２０が、左右２つの保持プレート８０によって保持された。しかしながら、洗濯槽２０を保持する保持部の構成は、これに限られず、たとえば、図６（ａ）に示すように、前後左右４つの保持プレート８０Ａが設けられ、左側の２つの保持プレート８０Ａが左の可動レール１０２に取り付けられる構成が採られてもよい。あるいは、図６（ｂ）に示すように、１つの保持プレート８０Ｂが設けられ、この保持プレート８０Ｂの左右の側面に左右の可動レール１０２が取り付けられる構成が採られてもよい。さらには、保持部として、図６（ｃ）に示すような、上面が開放されたキャビネット８０Ｃが設けられ、このキャビネット８０Ｃの左右の側面下部に可動レール１０２が取り付けられる構成が採られてもよい。
【００６２】
また、上記実施の形態では、防振装置５００が、スライダ５１０とレール５２０で構成された。しかしながら、これに限らず、図７に示すように、防振装置５００は、ローラ５３１を有する移動ブロック５３０が取付台４００の下面に固定され、この移動ブロック５３０が溝状のレール５４０を前後方向に移動するような構成とされてもよい。この場合、ローラ５３１とレール５４０との間の摩擦抵抗は、可動レール１０２が固定レール１０１に対して前後方向に移動するときに可動レール１０２と固定レール１０１との間に生じる摩擦抵抗よりも小さくされる。
【００６３】
さらに、上記実施の形態では、洗濯槽２０が保持された保持プレート８０を前後方向に移動させるため、固定レール１０１と可動レール１０２を含むスライドレール１００が用いられた。しかしながら、これに限らず、たとえば、スライド機構部として、外装ケース１０の左右の内側面の下部にローラが設けられ、このローラが左右の保持プレート８０の底面に設けられたレールに接触して回転することで、レールが前後方向に送られるような構成が採られてもよい。
【００６４】
さらに、上記実施の形態では、サスペンション６０が、ダンパー部２００とバネ部３００で構成された。しかしながら、サスペンション６０が、ダンパー部２００あるいはバネ部３００のみで構成されてもよい。
【００６５】
さらに、上記実施の形態では、全自動洗濯機１が例示されたが、本発明は、洗濯機能に加えて乾燥機能を有する全自動洗濯乾燥機に適用することもできる。
【００６６】
この他、本発明の実施の形態は、特許請求の範囲に示された技術的思想の範囲内において、適宜、種々の変更が可能である。
【符号の説明】
【００６７】
１  全自動洗濯機（洗濯機）
１０  外装ケース
２０  洗濯槽
６０  サスペンション
７０  連結部
８０  保持プレート（保持部）
９０  扉部
１００  スライドレール（スライド機構部）
１１０  緩衝部材
５００  防振装置（防振部）
５１０  スライダ（移動体）
５２０  レール（移動路）
５３０  移動ブロック（移動体）
５４０  レール（移動路）
【図１】
0006681688.tif 000002
【図２】
0006681688.tif 000003
【図３】
0006681688.tif 000004
【図４】
0006681688.tif 000005
【図５】
0006681688.tif 000006
【図６】
0006681688.tif 000007
【図７】
0006681688.tif 000008